【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
送信元デバイスにおいて、高効率ワイヤレスローカルエリア（ＷＬＡＮ）ネットワークを介して送信するためのデータパケットを生成することと、前記データパケットのプリアンブルは、レガシーショートトレーニングフィールドを備える、
前記レガシーショートトレーニングフィールドを、直交周波数分割多重（ＯＦＤＭ）方式に従って送信することと、
シングルキャリア周波数分割多元接続（ＳＣ−ＦＤＭＡ）変調方式に従って、前記データパケットの少なくともデータフィールド部分を宛先デバイスに送信することと
を備える、方法。
【請求項２】
前記送信がアップリンク送信に対応する、請求項１に記載の方法。
【請求項３】
前記データパケットの少なくとも前記部分を前記送信することが、第１の複数の副搬送波を介して前記データパケットの少なくとも前記部分を送信することを備え、ここにおいて、前記第１の複数の副搬送波の各副搬送波が前記送信元デバイスに割り振られる、請求項１に記載の方法。
【請求項４】
１つまたは複数の追加の副搬送波が、１つまたは複数の追加の送信元デバイスに割り振られる、請求項３に記載の方法。
【請求項５】
前記第１の複数の副搬送波の前記副搬送波が、前記１つまたは複数の追加の副搬送波の前記副搬送波とインタリーブされる、請求項４に記載の方法。
【請求項６】
前記第１の複数の副搬送波の各副搬送波が特定の周波数帯域内にあり、ここにおいて、前記１つまたは複数の追加の副搬送波が、前記特定の周波数帯域と重複しない１つまたは複数の他の周波数帯域内にある、請求項４に記載の方法。
【請求項７】
前記データパケットのプリアンブルが、レガシーロングトレーニングフィールドと、レガシー信号フィールドとをさらに備える、請求項１に記載の方法。
【請求項８】
前記データパケットの前記プリアンブルが、高効率ショートトレーニングフィールドと、高効率ロングトレーニングフィールドと、高効率信号フィールドとを備える、請求項１に記載の方法。
【請求項９】
前記データパケットを前記生成することが、
変換係数を生成するために、データシンボルに変換動作を実行することと、
各変換係数を副搬送波にマッピングすることとを備える、請求項１に記載の方法。
【請求項１０】
前記変換動作が離散フーリエ変換（ＤＦＴ）動作に対応する、請求項９に記載の方法。
【請求項１１】
メモリと、
前記メモリに結合されたプロセッサとを備え、前記プロセッサが、
高効率ワイヤレスローカルエリア（ＷＬＡＮ）ネットワークを介して送信するためのデータパケットを生成し、前記データパケットのプリアンブルは、レガシーショートトレーニングフィールドを備え、
前記レガシーショートトレーニングフィールドを、直交周波数分割多重（ＯＦＤＭ）方式に従って送信し、
シングルキャリア周波数分割多元接続（ＳＣ−ＦＤＭＡ）変調方式に従って、前記データパケットの少なくともデータフィールド部分を宛先デバイスに送信するように動作可能であり、
ここにおいて、前記メモリおよび前記プロセッサが送信元デバイスに含まれる、装置。
【請求項１２】
前記送信がアップリンク送信に対応する、請求項１１に記載の装置。
【請求項１３】
前記プロセッサが、第１の複数の副搬送波を介して前記データパケットの少なくとも前記部分を送信するように動作可能であり、ここにおいて、前記第１の複数の副搬送波の各副搬送波が前記送信元デバイスに割り振られる、請求項１１に記載の装置。
【請求項１４】
１つまたは複数の追加の副搬送波が、１つまたは複数の追加の送信元デバイスに割り振られる、請求項１３に記載の装置。
【請求項１５】
コンピュータによって実行されたとき、請求項１〜請求項７のうちの何れかに従った方法を実行するための命令を備える、コンピュータプログラム。
【手続補正２】
【補正対象書類名】明細書
【補正対象項目名】００８１
【補正方法】変更
【補正の内容】
【００８１】
[0087]  開示した実施形態の上記の説明は、開示した実施形態を当業者が作成または使用することを可能にするために提供されている。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
[Ｃ１]  送信元デバイスにおいて、電気電子技術者協会（ＩＥＥＥ）８０２．１１ワイヤレスネットワークを介して送信するためのデータパケットを生成することと、
シングルキャリア周波数分割多元接続（ＳＣ−ＦＤＭＡ）変調方式に従って、前記データパケットの少なくとも一部を宛先デバイスに送信することとを備える、方法。
[Ｃ２]  前記送信がアップリンク送信に対応する、Ｃ１に記載の方法。
[Ｃ３]  前記データパケットの前記少なくとも一部を前記送信することが、第１の複数の副搬送波を介して前記データパケットの前記少なくとも一部を送信することを備え、ここにおいて、前記第１の複数の副搬送波の各副搬送波が前記送信元デバイスに割り振られる、Ｃ１に記載の方法。
[Ｃ４]  １つまたは複数の追加の副搬送波が、１つまたは複数の追加の送信元デバイスに割り振られる、Ｃ３に記載の方法。
[Ｃ５]  前記第１の複数の副搬送波の前記副搬送波が、前記１つまたは複数の追加の副搬送波の前記副搬送波とインタリーブされる、Ｃ４に記載の方法。
[Ｃ６]  前記第１の複数の副搬送波の各副搬送波が特定の周波数帯域内にあり、ここにおいて、前記１つまたは複数の追加の副搬送波が、前記特定の周波数帯域と重複しない１つまたは複数の他の周波数帯域内にある、Ｃ４に記載の方法。
[Ｃ７]  前記データパケットのプリアンブルが、レガシーショートトレーニングフィールドと、レガシーロングトレーニングフィールドと、レガシー信号フィールドとを備える、Ｃ１に記載の方法。
[Ｃ８]  追加の送信元デバイスが、前記データパケットに関連付けられる搬送波周波数上で送信することを防止するために、前記レガシーショートトレーニングフィールドが直交周波数分割多重（ＯＦＤＭ）方式に従って送信される、Ｃ７に記載の方法。
[Ｃ９]  前記データパケットのプリアンブルが、高効率ショートトレーニングフィールドと、高効率ロングトレーニングフィールドと、高効率信号フィールドとを備える、Ｃ１に記載の方法。
[Ｃ１０]  前記データパケットを前記生成することが、
変換係数を生成するために、データシンボルに変換動作を実行することと、
各変換係数を副搬送波にマッピングすることとを備える、Ｃ１に記載の方法。
[Ｃ１１]  前記変換動作が離散フーリエ変換（ＤＦＴ）動作に対応する、Ｃ１０に記載の方法。
[Ｃ１２]  メモリと、
前記メモリに結合されたプロセッサとを備え、前記プロセッサが、
電気電子技術者協会（ＩＥＥＥ）８０２．１１ワイヤレスネットワークを介して送信するためのデータパケットを生成し、
シングルキャリア周波数分割多元接続（ＳＣ−ＦＤＭＡ）変調方式に従って、前記データパケットの少なくとも一部を宛先デバイスに送信するように動作可能であり、
ここにおいて、前記メモリおよび前記プロセッサが送信元デバイスに含まれる、装置。
[Ｃ１３]  前記送信がアップリンク送信に対応する、Ｃ１２に記載の装置。
[Ｃ１４]  前記プロセッサが、第１の複数の副搬送波を介して前記データパケットの前記少なくとも一部を送信するように動作可能であり、ここにおいて、前記第１の複数の副搬送波の各副搬送波が前記送信元デバイスに割り振られる、Ｃ１２に記載の装置。
[Ｃ１５]  １つまたは複数の追加の副搬送波が、１つまたは複数の追加の送信元デバイスに割り振られる、Ｃ１４に記載の装置。
[Ｃ１６]  送信元デバイスにおいて、電気電子技術者協会（ＩＥＥＥ）８０２．１１ワイヤレスネットワークを介してアップリンク送信するためのデータパケットを生成することと、
シングルキャリア変調方式に従って、前記データパケットの少なくとも一部を宛先デバイスに送信することとを備え、ここにおいて、前記宛先デバイスからのダウンリンク送信が、マルチキャリア変調方式に従って、前記ＩＥＥＥ８０２．１１ワイヤレスネットワークを介して前記送信元デバイスにおいて受信される、方法。
[Ｃ１７]  前記シングルキャリア変調方式が、シングルキャリア周波数分割多元接続（ＳＣ−ＦＤＭＡ）変調方式に対応する、Ｃ１６に記載の方法。
[Ｃ１８]  前記データパケットの前記少なくとも一部を前記送信することが、第１の複数の副搬送波を介して前記データパケットの前記少なくとも一部を送信することを備え、ここにおいて、前記第１の複数の副搬送波の各副搬送波が前記送信元デバイスに割り振られる、Ｃ１６に記載の方法。
[Ｃ１９]  １つまたは複数の追加の副搬送波が、１つまたは複数の追加の送信元デバイスに割り振られる、Ｃ１８に記載の方法。
[Ｃ２０]  前記第１の複数の副搬送波の前記副搬送波が、前記１つまたは複数の追加の副搬送波の前記副搬送波とインタリーブされる、Ｃ１９に記載の方法。
[Ｃ２１]  前記第１の複数の副搬送波の各副搬送波が特定の周波数帯域内にあり、ここにおいて、前記１つまたは複数の追加の副搬送波が、前記特定の周波数帯域と重複しない１つまたは複数の他の周波数帯域内にある、Ｃ１９に記載の方法。
[Ｃ２２]  前記データパケットのプリアンブルが、レガシーショートトレーニングフィールドと、レガシーロングトレーニングフィールドと、レガシー信号フィールドとを備える、Ｃ１６に記載の方法。
[Ｃ２３]  追加の送信元デバイスが、前記データパケットに関連付けられる搬送波周波数上で送信することを防止するために、前記レガシーショートトレーニングフィールドが直交周波数分割多重（ＯＦＤＭ）方式に従って送信される、Ｃ２２に記載の方法。
[Ｃ２４]  前記データパケットのプリアンブルが、高効率ショートトレーニングフィールドと、高効率ロングトレーニングフィールドと、高効率信号フィールドとを備える、Ｃ１６に記載の方法。
[Ｃ２５]  前記データパケットを前記生成することが、
変換係数を生成するために、データシンボルに変換動作を実行することと、
各変換係数を副搬送波にマッピングすることとを備える、Ｃ１６に記載の方法。
[Ｃ２６]  前記変換動作が離散フーリエ変換（ＤＦＴ）動作に対応する、Ｃ２５に記載の方法。
[Ｃ２７]  メモリと、
前記メモリに結合されたプロセッサとを備え、前記プロセッサが、
電気電子技術者協会（ＩＥＥＥ）８０２．１１ワイヤレスネットワークを介してアップリンク送信するためのデータパケットを生成し、
シングルキャリア変調方式に従って、前記データパケットの少なくとも一部を宛先デバイスに送信するように動作可能であり、ここにおいて、前記メモリおよび前記プロセッサが送信元デバイスに含まれ、ここにおいて、前記宛先デバイスからのダウンリンク送信が、マルチキャリア変調方式に従って、前記ＩＥＥＥ８０２．１１ワイヤレスネットワークを介して前記送信元デバイスにおいて受信される、装置。
[Ｃ２８]  前記シングルキャリア変調方式が、シングルキャリア周波数分割多元接続（ＳＣ−ＦＤＭＡ）変調方式に対応する、Ｃ２７に記載の装置。
[Ｃ２９]  前記プロセッサが、第１の複数の副搬送波を介して前記データパケットの前記少なくとも一部を送信するように動作可能であり、ここにおいて、前記第１の複数の副搬送波の各副搬送波が前記送信元デバイスに割り振られる、Ｃ２７に記載の装置。
[Ｃ３０]  １つまたは複数の追加の副搬送波が、１つまたは複数の追加の送信元デバイスに割り振られる、Ｃ２９に記載の装置。